(57)【要約】【課題】  本発明は、ステータスデータを容易に確認可能なリムーバブル記憶装置を提供する。【解決手段】ホスト機器１８ａに接続可能なリムーバブル記憶装置１００において、ステータスデータを挿入可能なメッセージデータが保存されるメッセージデータ記憶部と、前記ステータスデータを取得し、前記メッセージデータに前記ステータスデータが挿入された合成データを生成する制御部１４と、前記合成データを音声で出力する音声生成部１２とを備えることを特徴とするリムーバブル記憶装置。【選択図】図１
2011180749.tif 000002
【特許請求の範囲】
【請求項１】
ホスト機器に接続可能なリムーバブル記憶装置において、
ステータスデータを挿入可能なメッセージデータが保存されるメッセージデータ記憶部と、
前記ステータスデータを取得し、前記メッセージデータに前記ステータスデータが挿入された合成データを生成する制御部と、
前記合成データを音声で出力する音声生成部と
を備えることを特徴とするリムーバブル記憶装置。
【請求項２】
請求項１記載のリムーバブル記憶装置は、通常のデータが保存可能な通常データ記憶部と管理データが保存される管理データ記憶部とをさらに備え、
前記制御部が、前記ホスト機器から前記ステータスデータの取得要求を受けたとき、前記制御部に選択された前記管理データが加工されたステータスデータを取得することを特徴とするリムーバブル記憶装置。
【請求項３】
請求項１記載のリムーバブル記憶装置は、通常のデータが保存可能な通常データ記憶部と前記リムーバブル記憶装置の管理データが保存される管理データ記憶部とをさらに備え、
前記制御部が、前記ホスト機器から前記ステータスデータの取得要求を受けたとき、前記管理データを前記ホスト機器に転送し、前記管理データと前記ホスト機器の管理データとが適合するか判定されたステータスデータを取得することを特徴とするリムーバブル記憶装置。
【請求項４】
請求項１記載のリムーバブル記憶装置は、通常のデータが保存可能な通常データ記憶部と、前記リムーバブル記憶装置の管理データが保存される管理データ記憶部と、
前記ステータスデータと比較可能な閾値データが保存される閾値データ記憶部と、
をさらに備え、
前記リムーバブル記憶装置の残容量が前記閾値データの残容量を下回ることを前記制御部が判定したときに、前記制御部が前記合成データを生成することを特徴とするリムーバブル記憶装置。
【発明の詳細な説明】
【技術分野】
【０００１】
本発明は、ホスト機器に着脱可能なリムーバブル記憶装置に関する。
【背景技術】
【０００２】
ホスト機器（例えば、パーソナルコンピュータ）に接続してデータの書き込みや読み出しを行う半導体記憶装置を有するリムーバブル記憶装置の例として、メモリカードがある。
【０００３】
従来、利用者がメモリカードの属性（例えばメモリカードの残容量）を確認する場合には、利用者は属性のデータを表示装置に表示させて確認する。例えば残容量を表示装置に表示させて確認するには、利用者がホスト機器に複数のコマンドを入力したり、残容量のデータの保存場所を検索したりするなど、利用者に複雑な操作が必要であり、残容量を確認するのが容易でない。
【０００４】
また、ホスト機器からメモリカードにデータを転送する際の転送時間を確認する場合には、従来では、データの転送に際し、転送する処理データのバイト単位を処理データ量検出手段によって検出し、単位当たりの転送時間を単位データ転送時間検出手段によって算出し、処理データ量と単位当たりの転送時間から処理データ転送時間を算出し、表示装置に表示する方法が知られている（例えば、特許文献１参照。）。
【０００５】
ところで、近年のホスト機器の高速化に伴い、ホスト機器を用いて、複数の処理を同時に行う、いわゆる並行処理を利用者が行いやすくなった。その反面、ホスト機器が、処理データ転送時間を取得する処理を並行処理で行っている場合に、利用者は表示装置に表示しない限り、処理データ転送時間を確認することができない。
【０００６】
このように、利用者は表示装置に表示される操作を行う必要があり、転送時間を確認するのが容易でない。
【先行技術文献】
【特許文献】
【０００７】
【特許文献１】特開平２−１３０６５１号公報
【発明の概要】
【発明が解決しようとする課題】
【０００８】
本発明は、ステータスデータを容易に確認可能なリムーバブル記憶装置を提供する。
【課題を解決するための手段】
【０００９】
本発明の一態様に係るリムーバブル記憶装置は、ホスト機器に接続可能なリムーバブル記憶装置において、ステータスデータを挿入可能なメッセージデータが保存されるメッセージデータ記憶部と、前記ステータスデータを取得し、前記メッセージデータに前記ステータスデータが挿入された合成データを生成する制御部と、前記合成データを音声で出力する音声生成部とを備えることを特徴とする。
【発明の効果】
【００１０】
本発明によれば、ステータスデータを容易に確認可能なリムーバブル記憶装置を提供できる。
【図面の簡単な説明】
【００１１】
【図１】本発明の第１の実施形態におけるリムーバブル記憶装置の一態様であるメモリカードの構成を示すブロック図。
【図２】本発明の第１の実施形態におけるリムーバブル記憶装置のメッセージデータ領域に保存されるメッセージデータの概念を示す模式図。
【図３】本発明の第１の実施形態におけるリムーバブル記憶装置の音声生成装置の構成を示すブロック図。
【図４】本発明の第１の実施形態におけるリムーバブル記憶装置の動作を示すフローチャート図。
【図５】本発明の第１の実施形態の変形例１におけるリムーバブル記憶装置の動作を示すフローチャート図。
【図６】本発明の第１の実施形態の変形例２におけるリムーバブル記憶装置の使用方法を示すフローチャート図。
【図７】本発明の第２の実施形態におけるリムーバブル記憶装置の動作を示すフローチャート図。
【発明を実施するための形態】
【００１２】
以下、本発明の実施形態について図面を参照しながら説明する。この説明に際し、全図にわたり、共通する部分には共通する参照符号を付す。
【００１３】
（第１の実施形態）
まず、本発明の第１の実施形態におけるリムーバブル記憶装置の一態様であるメモリカードの構成について、図１のブロック図を参照して説明する。
【００１４】
［リムーバブル記憶装置の構成］
図１に示すメモリカード１００は、メモリ１０と、メモリコントローラ１１と、音声生成装置（音声生成部）１２で構成される。
【００１５】
＜メモリ＞
メモリ１０には、保存される用途に応じて、通常のデータを保存可能な通常データ領域（通常データ記憶部）と、リムーバブル記憶装置全体の管理データが保存されている管理データ領域（管理データ記憶部）と、音声生成装置１２に入力されるデータ（後述する合成データ）の一部であるメッセージデータが保存されているメッセージデータ領域（メッセージデータ記憶部）に分類される。ここで、リムーバブル記憶装置の管理データは、メモリコントローラ１１の制御情報などであり、例えばホスト機器１８ａに適合するかを判定するためのデータなどが含まれる。
【００１６】
また、メッセージデータは、ステータスデータが挿入可能なデジタルデータである。ここで、ステータスデータは、後述する演算処理装置（以下、ＭＰＵ：Micro processing unitという。また、制御部ともいう。）１４によって選択されたリムーバブル記憶装置の管理データ（以下、第１元データともいう）やホスト機器の管理データ（以下、第２元データともいう）から生成されたデータである。例えばリムーバブル記憶装置の残容量のデータなどである。
【００１７】
この実施例におけるメッセージデータは、例えばリムーバブル記憶装置の残容量を音声出力する際の、「メモリカードの残容量は、■■です。」のうち■を除く部分のメッセージに関するデジタルデータである。前記黒塗りの四角（■）には、リムーバブル記憶装置の実際のステータスデータである残容量のデータが挿入されて音声出力される。メッセージデータの構成を模式的に図２に示す。上記では、残容量に関するメッセージデータを例示したが、メッセージデータは、残容量以外にもユーザが知りたい情報を音声出力するように設定する。メッセージを複数用意することも可能である。この場合、黒塗りの四角（■）に対応する部分の位置や長さは、メッセージごとにそれぞれ設定される。
【００１８】
＜メモリコントローラ＞
図１に示すように、メモリコントローラ１１は、ホストインターフェース回路（ホストＩ／Ｆ）１３と、ＭＰＵ１４、ＲＯＭ（Read-only memory）１５、ＲＡＭ（Random access memory）１６、メモリインターフェース回路（メモリＩ／Ｆ）１７を備えている。
【００１９】
ホストインターフェース回路１３は、メモリコントローラ１１とＣＰＵ１８ｂを内部に備えたホスト機器１８ａとの間における情報（コマンドＣＭＤ、アドレスＡＤＤ、データＤＡＴ）の入出力の制御を行うためのものである。
【００２０】
ＭＰＵ１４は、メモリコントローラ１１全体の動作を制御するためのものである。ＭＰＵ１４は、メモリカード１００が電源供給を受けて、例えばＲＯＭ１５などに格納されているファームウェア（制御プログラム）をＲＡＭ１６上に読み出して所定の処理を実行することにより、各種のテーブルをＲＡＭ１６上に生成する。また、ＭＰＵ１４は、ホスト機器からステータスデータの取得要求を受けたとき、ステータスデータの取得及びステータスデータに関するメッセージデータの読み出しを行い、このメッセージデータにステータスデータを挿入し、挿入された合成データを音声生成装置１２に出力する。
【００２１】
ＲＯＭ１５は、ＭＰＵ１４により制御される制御プログラム等を格納する。ＲＡＭ１６は、ＭＰＵ１４の作業エリアとして使用され、ＲＯＭ１５から読み出された制御プログラムや各種のテーブルを記憶する。
【００２２】
メモリインターフェース回路１７は、メモリコントローラ１１とメモリ１０との間における情報の入出力の制御を行う。
【００２３】
＜音声生成装置＞
次に、音声生成装置１２の構成について、図３のブロック図を用いて説明する。
【００２４】
図３に示すように、音声生成装置１２は、音声変換回路２０と、スピーカー２１で構成される。音声変換回路２０に合成データ（ステータスデータがメッセージデータに挿入されたデータ）が入力されると、音声変換回路２０は、この合成データ（デジタルデータ）を音声データ（デジタルデータでもアナログデータでも可）に変換し、スピーカー２１に音声データを出力する。音声変換回路２０として、例えばクロック信号により制御されるデジタル−アナログ変換回路Ｄ／ＡＣが用いられる。スピーカー２１は、音声変換回路２０から入力された音声データを音声として外部に出力する。
【００２５】
［リムーバブル記憶装置の第１の使用方法］
次に、本発明の実施形態におけるリムーバブル記憶装置の第１の使用方法としてリムーバブル記憶装置の通常データ領域における残容量を音声で出力する例を、図４のリムーバル記憶装置の動作フローチャートを用いて説明する。
【００２６】
図４に示すように、ステップＳ１で、ＭＰＵ１４は、通常データ領域における残容量の取得要求をホスト機器１８ａから受ける。本実施形態では、この残容量のデータがステータスデータとなる。
【００２７】
ここで、残容量の取得要求は、利用者がホスト機器１８ａに所定のコマンドを入力したり、ホスト機器１８ａに設けられた取得要求ボタンを用いることにより行う。
【００２８】
次に、ステップＳ２で、ＭＰＵ１４は、管理データ領域内にある、通常データ領域の最大記憶容量のデータ（第１元データ１）と、ステータスデータの取得要求時点において通常データ領域に記憶されている容量のデータ（第１元データ２）をＲＡＭ１６上に読み出す。
【００２９】
ステップＳ３で、ＭＰＵ１４は、「通常データ領域の最大記憶容量のデータ」から「ステータスデータの取得要求時点において通常データ領域に記憶されている容量のデータ」を差し引き、ＲＡＭ１６上に残容量のデータを算出し保存する。
【００３０】
なお、もともとリムーバブル記憶装置における通常データ領域の残容量のデータをメモリ１０内に保持している場合には、その残容量のデータをＲＡＭ１６上に読み出し保存してもよい。
【００３１】
そして、ステップＳ４で、ＭＰＵ１４は、残容量に関するメッセージデータをメッセージデータ領域から抽出し、ＲＡＭ１６上にこのメッセージデータを読み出す。
【００３２】
なお、ステップＳ２及びステップＳ３と、ステップＳ４の順序を反対にしてもよい。また、ＭＰＵ１４は、ステップＳ２及びステップＳ３とステップＳ４を同時に動作してもよい。
【００３３】
ステップＳ５で、ＭＰＵ１４は、ＲＡＭ１６上に読み出されたメッセージデータの挿入可能な部分（図２の斜線部分）に、残容量のデータを挿入し、合成データを生成する。
【００３４】
ステップＳ６で、ＭＰＵ１４が、ＲＡＭ１６上の合成データを音声生成装置１２に転送し、音声生成装置１２は、リムーバブル記憶装置から残容量を音声として出力する。
【００３５】
［第１の実施形態の効果］
以上により、ホスト機器１８ａからの取得要求によって、リムーバブル記憶装置における通常データ領域の残容量が音声として外部に出力される。これにより、利用者は表示装置に表示されなくとも残容量を容易に確認できる。したがって、ステータスデータを容易に確認可能なリムーバブル記憶装置を提供できる。
【００３６】
また、本実施形態のリムーバブル記憶装置は、表示装置（例えばディスプレイ）や、スピーカーがないホスト機器にも適用可能で、利用者にとって利便性が向上する。
【００３７】
（第１の実施形態の変形例１）
次に、本発明の実施形態のリムーバブル記憶装置の別の使用方法としてリムーバブル記憶装置がホスト機器と互換性があるか否かを音声で出力する例を、図５のリムーバル記憶装置の動作フローチャートを用いて説明する。なお、本変形例１にかかるリムーバブル記憶装置は、第１の実施形態のリムーバブル記憶装置と同一の構成である。
【００３８】
［リムーバブル記憶装置の第２の使用方法］
図５に示すように、まず、ステップＳ１で、リムーバブル記憶装置内のＭＰＵ１４は、ホスト機器１８ａとリムーバブル記憶装置における互換性の有無の取得要求をホスト機器から受ける。本実施形態の変形例１では、この互換性の有無のデータがステータスデータとなる。
【００３９】
ここで、互換性の有無のデータの取得要求は、利用者がホスト機器１８ａに所定のコマンドを入力したり、ホスト機器１８ａに設けられた取得要求ボタンを用いることにより行う。
【００４０】
次に、ステップＳ２で、ＭＰＵ１４は、リムーバブル記憶装置の互換性に関する管理データ（第１元データ３）を管理データ領域から読み出し、ホストインターフェース回路１３を通じて、この管理データをホスト機器１８ａに転送する。
【００４１】
そして、転送されたホスト機器１８ａのＣＰＵ１８ｂによって、ホスト機器の互換性に関する管理データ（第２元データ１）とリムーバブルの互換性に関する管理データが適合するか否かが判定される（図示略）。
【００４２】
ホスト機器の互換性に関する管理データとリムーバブル記憶装置の互換性に関する管理データが適合する場合には、ＣＰＵ１８ｂによって、互換性有のデータがメモリコントローラ１１に転送される。一方で、ホスト機器の互換性に関する管理データとリムーバブル記憶装置の互換性に関する管理データが適合しない場合には、ＣＰＵ１８ｂによって、互換性無のデータがメモリコントローラ１１に転送される（図示略）。
【００４３】
ステップＳ３で、ＭＰＵ１４は、ホスト機器１８ａから転送された互換性の有無のデータをＲＡＭ１６上に保存する。
【００４４】
そして、ステップＳ４で、ＭＰＵ１４は、互換性の有無に関するメッセージデータをメッセージデータ領域から抽出し、ＲＡＭ１６上にこのメッセージデータを読み出す。
【００４５】
なお、ステップＳ３と、ステップＳ４の順序を反対にしてもよい。また、ＭＰＵ１４は、ステップＳ３とステップＳ４を同時に動作してもよい。
【００４６】
ステップＳ５で、ＭＰＵ１４は、ＲＡＭ１６上に読み出されたメッセージデータの挿入可能な部分（図２の斜線部分）に、互換性の有無のデータを挿入し、合成データを生成する。
【００４７】
ステップＳ６で、ＭＰＵ１４が、ＲＡＭ１６上の合成データを音声生成装置１２に転送し、音声生成装置１２は、リムーバブル記憶装置から互換性の有無を音声として出力する。
【００４８】
［第１の実施形態の変形例１の効果］
以上により、ホスト機器１８ａからの取得要求によって、ホスト機器１８ａとリムーバブル記憶装置の互換性があるか否かが音声として外部に出力される。これにより、利用者は表示装置に表示されなくとも、ホスト機器とリムーバブル記憶装置における互換性を容易に確認できる。したがって、ステータスデータを容易に確認可能なリムーバブル記憶装置を提供できる。
【００４９】
また、本実施形態のリムーバブル記憶装置は、表示装置（例えばディスプレイ）や、スピーカーがないホスト機器にも適用可能で、利用者にとって利便性が向上する。
【００５０】
（第１の実施形態の変形例２）
次に、本発明の実施形態のリムーバブル記憶装置のさらに別の使用方法としてホスト機器から通常データ領域にデータを転送する際にかかる転送時間を音声で出力する例を、図６のリムーバル記憶装置の動作フローチャートを用いて説明する。なお、本変形例２にかかるリムーバブル記憶装置は、第１の実施形態のリムーバブル記憶装置と同一の構成である。
【００５１】
［リムーバブル記憶装置の第３の使用方法］
図６に示すように、ステップＳ１で、ホスト機器からリムーバブル記憶装置の通常データ領域にデータ（例えば、音楽データ）を転送するとき、データを転送開始してから一定期間経過後に（例えば、５秒後）、転送にかかる転送時間の取得要求を、ホスト機器からＭＰＵ１４が受ける。
【００５２】
本変形例２では、この転送時間のデータがステータスデータとなる。また、一定期間は、利用者が設定できる期間であり、変更可能な期間である。ここで、転送時間の取得要求は、利用者がホスト機器１８ａに所定のコマンドを入力したり、ホスト機器１８ａに設けられた取得要求ボタンを用いることにより行う。
【００５３】
次に、ステップＳ２で、ＭＰＵ１４は、一定期間経過後の転送時間Ｔを算出する。具体的には、ＭＰＵ１４は、一定期間経過後も転送されずにホスト機器にあるデータの容量のデータ（第２元データ２）、及び、例えばホスト機器内部のタイマーで計測された一定期間のデータ（第２元データ３）をホスト機器から読み出し、一定期間経過後に通常データ領域に転送されたデータの容量（第１元データ４）を管理データ領域から読み出す。そして、ＭＰＵ１４は、一定期間経過後も転送されずにホスト機器にあるデータの容量を一定時間内に通常データ領域に転送できたデータの容量で除した数に一定期間を乗じた時間を、一定期間経過後の転送時間Ｔとして算出し、ＲＡＭ１６上に保存する。
【００５４】
そして、ステップＳ３で、ＭＰＵ１４は、転送時間Ｔに関するメッセージデータをメッセージデータ領域から抽出し、ＲＡＭ１６上にこのメッセージデータを読み出す。
【００５５】
なお、ステップＳ２と、ステップＳ３の順序を反対にしてもよい。また、ＭＰＵ１４は、ステップＳ２とステップＳ３を同時に動作してもよい。
【００５６】
ステップＳ４で、ＭＰＵ１４は、ＲＡＭ１６上に読み出されたメッセージデータの挿入可能な部分（図２の斜線部分）に、一定期間経過後の転送時間Ｔのデータを挿入し、合成データを生成する。
【００５７】
ステップＳ５で、ＭＰＵ１４が、ＲＡＭ１６上の合成データを音声生成装置１２に転送し、音声生成装置１２は、リムーバブル記憶装置から一定期間経過後の転送時間Ｔを音声として出力する。
【００５８】
［第１の実施形態の変形例２の効果］
以上により、ホスト機器１８ａからの取得要求によって、一定期間経過後の転送時間Ｔが音声として外部に出力される。これにより、利用者は表示装置に表示されなくとも一定期間経過後の転送時間Ｔを容易に確認できる。したがって、ステータスデータを容易に確認可能なリムーバブル記憶装置を提供できる。
【００５９】
また、本実施形態のリムーバブル記憶装置は、表示装置（例えばディスプレイ）や、スピーカーがないホスト機器にも適用可能で、利用者にとって利便性が向上する。
【００６０】
（第１の実施形態の変形例３）
前述した第１の実施形態、第１の実施形態の変形例１、第１の実施形態の変形例２では、ホスト機器１８ａの利用者からのステータスデータの取得要求をＭＰＵ１４が受けることによって、リムーバブル記憶装置のステータスデータの出力動作が開始するが、本変形例３では、ホスト機器１８ａとリムーバブル記憶装置１００が接続されると同時にホスト機器１８ａから自動的に発行される信号、又は、リムーバブル記憶装置がホスト機器１８ａに接続された状態を検知し、ホスト機器１８ａあるいはリムーバブル記憶装置内のタイマーで所定の期間経過後にタイマーから出力される信号によって、ＭＰＵ１４が自動的にステータスデータの取得要求を受けるように設定してもよい。なお、所定の期間経過するたびに、タイマーから出力される信号によって、ＭＰＵ１４が自動的にステータスデータの取得要求を受けるように設定してもよい。
【００６１】
［第１の実施形態の変形例３の効果］
以上より、リムーバブル記憶装置がホスト機器１８ａに接続されるのと同時又は、ホスト機器１８ａと接続されて所定の期間経過後に、ホスト機器１８ａとリムーバブル記憶装置の互換性の有無や所定の期間経過後のデータの転送時間、あるいは所定の期間経過後のリムーバル記憶装置の残容量が自動的に音声として外部に出力される。したがって、ステータスデータを容易に確認可能なリムーバブル記憶装置を提供できる。
【００６２】
また、第１の実施形態、第１の実施形態の変形例１、及び第１の実施形態の変形例２に比べて、ステータスデータを確認する手間を軽減できる。
【００６３】
本変形例３では、所定の期間経過するたびにＭＰＵ１４が自動的にステータスデータの取得要求を受けるように設定する。このため、データの転送時間などのステータスデータが所定の期間経過するたびに更新される。その結果、更新されたステータスデータを自動的に利用者は認識でき、利用者にとって利便性が向上する。
【００６４】
（第２の実施形態）
次に、本発明の第２の実施形態にかかるリムーバブル記憶装置について、図７を用いて説明する。
【００６５】
第２の実施形態のリムーバブル記憶装置の構成は、第１の実施形態の変形例３にかかるリムーバブル記憶装置の構成とは、さらに、メモリ１０内に閾値データが保存されている点で異なり、その他の構成部分については同一であるため説明の詳細を省略し、異なる構成部分を説明する。
【００６６】
［閾値データ］
閾値データは、メモリ１０内に予め保存されている。以下、説明の便宜上、閾値データが保存されている領域を閾値データ領域（閾値データ記憶部）という。この閾値データは、ＭＰＵ１４が取得したステータスデータと比較するための基準データであり、予め設定されたデータである。
【００６７】
［リムーバブル記憶装置の使用方法］
次に、本実施形態のリムーバブル記憶装置の使用方法についてリムーバブル記憶装置の通常データ領域における残容量を音声で出力する例として、図７のリムーバブル記憶装置の動作フローチャートを用いて説明する。
【００６８】
図７のステップＳ１で、ＭＰＵ１４は、利用者からの取得要求がなくても、リムーバブル記憶装置がホスト機器に接続された状態でホスト機器あるいはリムーバブル記憶装置内のタイマーで所定の期間経過毎にタイマーから出力される信号がＭＰＵ１４に入力されることによって、自動的に残容量の取得要求を受ける。
【００６９】
次に、ステップＳ２で、ＭＰＵ１４は、管理データ領域内のリムーバブル記憶装置における通常データ領域の最大記憶容量のデータ（第１元データ５）と、残容量の取得要求時点において通常データ領域に記憶されている容量のデータ（第１元データ６）をＲＡＭ１６上に読み出す。読み出された第１元データに基づき、ＭＰＵ１４は、ＲＡＭ１６上に残容量のデータを算出し保存する。
【００７０】
そして、ステップＳ３で、ＭＰＵ１４は閾値データ領域内の残容量の閾値データをＲＡＭ１６上に読み出す。
【００７１】
次に、ステップＳ４で、ステップＳ２で算出された残容量のデータと、閾値データ領域内の残容量のデータを比較する。ステップＳ２で算出された残容量のデータが、閾値データ領域内の残容量のデータよりも大きい場合（ステップＳ４、Ｙｅｓ）には、そのまま終了する。一方で、ステップＳ２で算出された残容量のデータが、閾値データ領域内の残容量のデータと等しい又はより小さい場合（ステップＳ４、Ｎｏ）には、図４のステップＳ４からステップ６までと同様のステップを行い（ステップ５乃至ステップＳ７）、終了する。
【００７２】
［第２の実施形態の効果］
以上より、本実施形態では、ＭＰＵ１４によって算出された残容量のデータが閾値データの残容量のデータを下回った場合のみ、残容量が音声として出力される。このため、利用者は、閾値データを通常ユーザ領域の残容量がまもなく無くなることを示す指標として使用できる。その結果、利用者は、ホスト機器の利用中にリムーバブル記憶装置の残容量を意識する必要がなく、利用者に対する利便性が向上する。
【００７３】
（第３の実施形態）
前述した第１の実施形態、第１の実施形態の変形例１、第１の実施形態の変形例２、第２の実施形態では、ＭＰＵ１４はリムーバブル記憶装置内の第１元データを用いてステータスデータを取得したが、本実施形態では、ＭＰＵ１４はホスト機器の第２元データのみで生成されるステータスデータを取得してもよい。第２元データで生成されるステータスデータの例として、ホスト機器の残容量がある。
【００７４】
［第３の実施形態の効果］
以上により、ホスト機器１８ａからの取得要求によって、ホスト機器１８ａの残容量を音声として外部に出力される。これにより、利用者は表示装置に表示されなくとも、ホスト機器の残容量を容易に確認できる。したがって、ステータスデータを容易に確認可能なリムーバブル記憶装置を提供できる。
【００７５】
なお、本願発明は上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出されうる。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出されうる。
【符号の説明】
【００７６】
１０…メモリ
１１…メモリコントローラ
１２…音声生成装置
１３…ホストインタフェース回路
１４…ＭＰＵ
１５…ＲＯＭ
１６…ＲＡＭ
１７…メモリインターフェース
１８ａ…ホスト機器
１８ｂ…ＣＰＵ
２０…音声変換回路
２１…スピーカー
１００…メモリカード 
【図１】
2011180749.tif 000003
【図２】
2011180749.tif 000004
【図３】
2011180749.tif 000005
【図４】
2011180749.tif 000006
【図５】
2011180749.tif 000007
【図６】
2011180749.tif 000008
【図７】
2011180749.tif 000009